(57)【特許請求の範囲】
【請求項１】
裏面に粘着剤が施されたラベル本体を有する移転用ラベルであって、
前記ラベル本体は、配送物の外側に貼り付けられる第１の部分を含み、
前記第１の部分の表面は、
複数の色を用いて情報を表す情報コードであって、少なくとも前記配送物の配送先に関する情報と前記配送物の個体の識別に関する情報とを表した情報コードが印刷された情報コード印刷領域と、
配送先に到着した後の前記配送物の行き先に関する情報を記入可能な記入領域と、
前記情報コード印刷領域と前記記入領域との間に介在して当該２つの領域を離間させ、前記配送物の配送先に関連する文字が印刷される中間領域と
を含み、
前記ラベル本体は、分離できるように加工された加工線によって、配送物の外側に貼り付けられる前記第１の部分と、配送管理用の台帳に貼り付けられる第２の部分と、前記配送物の中に入れて前記配送物とともに配送される第３の部分とに区分されており、
前記第２の部分の表面には、少なくとも前記配送物の配送先に関する情報と前記配送物の個体の識別に関する情報とを表した第１のバーコードが印刷され、
前記第１の部分と前記第３の部分との境界をなす前記加工線が横切る当該２つの部分の表面の境界領域には、前記第１のバーコードと同じ情報を表す第２のバーコードが、当該２つの部分を分離した場合でも各々の部分で情報を読み取ることができるように印刷される、
移転用ラベル。
【請求項２】
前記第２のバーコードを構成する複数の棒線は、前記第１の部分と前記第３の部分との境界をなす直線状の加工線とそれぞれ垂直に交わる、
請求項１に記載の移転用ラベル。
【請求項３】
前記第２のバーコードは、前記中間領域及び前記情報コード印刷領域を隔てて前記記入領域から離間した位置に印刷される、
請求項２に記載の移転用ラベル。
【請求項４】
前記第１の部分の表面は、前記中間領域及び前記記入領域を隔てて前記情報コード印刷領域から離間し、前記配送物の配送先を表す所定の色に着色された着色領域を含む、
請求項３に記載の移転用ラベル。
【請求項５】
請求項１乃至４の何れか一項に記載された移転用ラベルを準備する工程と、
前記準備した移転用ラベルの前記ラベル本体から前記第１の部分及び前記第２の部分をそれぞれ分離する工程と、
前記分離された前記第１の部分を配送物の外側に貼り付ける工程と、
前記分離された前記第２の部分を配送管理用の台帳に貼り付ける工程と、
前記第１の部分及び前記第２の部分が分離された残りの移転用ラベルを、前記配送物とともに配送されるように前記配送物の中に入れる工程と、
前記残りの移転用ラベルが入れられた前記配送物を搬出する際、前記配送物の外側に貼り付けられた前記第１の部分に印刷される前記情報コードの情報を、前記配送物の発送元に設置された情報コード読み取り装置によって読み取る工程と、
前記情報コードの読み取りが完了した前記配送物を、前記配送物の外側に貼り付けられた前記第１の部分の前記中間領域に印刷される文字が示す配送先へ運ぶ工程と、
前記配送物が前記配送先に到着すると、前記配送物の外側に貼り付けられた前記第１の部分に印刷される前記情報コードの情報を、前記配送先に設置された情報コード読み取り装置によって読み取る工程と、
前記配送先に到着した前記配送物の外側に前記第１の部分が貼り付けられていない場合、前記配送物の中から前記残りの移転用ラベルを取り出し、当該残りの移転用ラベルに含まれる前記第３の部分に印刷された前記第２のバーコードを前記配送先に設置されたバーコード読み取り装置によって読み取る工程と、
を有する移転方法。
【発明の詳細な説明】
【技術分野】
【０００１】
本発明は、オフィスなどの移転の際に配送する物品に貼り付ける移転用ラベルと、この移転用ラベルを用いた移転方法に関するものである。
【背景技術】
【０００２】
オフィス等の移転時に荷物を箱詰めし、その箱に管理用のバーコードラベルを貼り付けて、箱の搬出・搬入を管理するシステムがある。このような管理システムでは、箱の搬出・搬入の際、ハンディータイプのバーコードリーダを箱に貼り付けたバーコードラベルに近づけて、バーコードの情報を読み取る。
【０００３】
上記の管理システムでは、それぞれの箱にバーコードリーダを近づけなければバーコードの情報を読み取ることができないため、搬出・搬入作業の効率が低いという問題がある。これに対して、特許文献１に記載されるシステムでは、複数の色を使って情報を表す情報コード（カラービット（商標））が印刷されたラベルを箱に貼り付け、比較的離れた場所から無人のカメラによってラベルの情報コードを撮像し、撮像した画像を処理して自動的に情報を読み取る。このシステムによれば、作業者が１つ１つの箱にバーコードリーダを近づけて情報を読み取る方法に比べて、搬出・搬入作業の効率を高めることができる。
【先行技術文献】
【特許文献】
【０００４】
【特許文献１】特開２０１２−３８１４９号公報
【発明の概要】
【発明が解決しようとする課題】
【０００５】
ところで、移転時に配送物の外側に貼り付けるラベルには、上述のような情報コード（カラービット（商標））だけでなく、手書きで情報を記入できる欄を設けることが望ましい。例えば、配送先に配送物が到着した後、その配送物を建物内のどこに運ぶべきかといった情報は、物品の配置のレイアウトに関係しており、移転の直前までレイアウトが決まらないこともあるため、予めラベルに印刷するよりも、手書きで記入できるようにする方が都合のよいことがある。
【０００６】
しかしながら、手書き用の記入欄の近くに上述のような情報コードが印刷されていると、記入欄からはみ出した文字などが情報コードの領域まで及んでしまうことがあり、その影響で情報コードの読み取り精度が低下する場合がある。
【０００７】
本発明はかかる事情に鑑みてなされたものであり、その目的は、印刷された情報コードの読み取り精度の低下を生じ難くすることができる移転用ラベルと、そのような移転用ラベルを用いた移転方法を提供することにある。
【課題を解決するための手段】
【０００８】
本発明の第１の観点に係わる移転用ラベルは、  裏面に粘着剤が施されたラベル本体を有する移転用ラベルであって、前記ラベル本体は、配送物の外側に貼り付けられる第１の部分を含み、前記第１の部分の表面は、複数の色を用いて情報を表す情報コードであって、少なくとも前記配送物の配送先に関する情報と前記配送物の個体の識別に関する情報とを表した情報コードが印刷された情報コード印刷領域と、配送先に到着した後の前記配送物の行き先に関する情報を記入可能な記入領域と、前記情報コード印刷領域と前記記入領域との間に介在して当該２つの領域を離間させ、前記配送物の配送先に関連する文字が印刷される中間領域とを含み、前記ラベル本体は、分離できるように加工された加工線によって、配送物の外側に貼り付けられる前記第１の部分と、配送管理用の台帳に貼り付けられる第２の部分と、前記配送物の中に入れて前記配送物とともに配送される第３の部分とに区分されており、前記第２の部分の表面には、少なくとも前記配送物の配送先に関する情報と前記配送物の個体の識別に関する情報とを表した第１のバーコードが印刷され、前記第１の部分と前記第３の部分との境界をなす前記加工線が横切る当該２つの部分の表面の境界領域には、前記第１のバーコードと同じ情報を表す第２のバーコードが、当該２つの部分を分離した場合でも各々の部分で情報を読み取ることができるように印刷される。
【００１１】
好適に、前記第２のバーコードを構成する複数の棒線は、前記第１の部分と前記第３の部分との境界をなす直線状の加工線とそれぞれ垂直に交わってよい。
【００１２】
好適に、前記第２のバーコードは、前記中間領域及び前記情報コード印刷領域を隔てて前記記入領域から離間した位置に印刷されてよい。
【００１３】
好適に、前記第１の部分の表面は、前記中間領域及び前記記入領域を隔てて前記情報コード印刷領域から離間し、前記配送物の配送先を表す所定の色に着色された着色領域を含んでよい。
【００１４】
本発明の第２の観点に係る移転方法は、請求項１乃至４の何れか一項に記載された移転用ラベルを準備する工程と、前記準備した移転用ラベルの前記ラベル本体から前記第１の部分及び前記第２の部分をそれぞれ分離する工程と、前記分離された前記第１の部分を配送物の外側に貼り付ける工程と、前記分離された前記第２の部分を配送管理用の台帳に貼り付ける工程と、前記第１の部分及び前記第２の部分が分離された残りの移転用ラベルを、前記配送物とともに配送されるように前記配送物の中に入れる工程と、前記残りの移転用ラベルが入れられた前記配送物を搬出する際、前記配送物の外側に貼り付けられた前記第１の部分に印刷される前記情報コードの情報を、前記配送物の発送元に設置された情報コード読み取り装置によって読み取る工程と、前記情報コードの読み取りが完了した前記配送物を、前記配送物の外側に貼り付けられた前記第１の部分の前記中間領域に印刷される文字が示す配送先へ運ぶ工程と、前記配送物が前記配送先に到着すると、前記配送物の外側に貼り付けられた前記第１の部分に印刷される前記情報コードの情報を、前記配送先に設置された情報コード読み取り装置によって読み取る工程と、前記配送先に到着した前記配送物の外側に前記第１の部分が貼り付けられていない場合、前記配送物の中から前記残りの移転用ラベルを取り出し、当該残りの移転用ラベルに含まれる前記第３の部分に印刷された前記第２のバーコードを前記配送先に設置されたバーコード読み取り装置によって読み取る工程とを有する。
【発明の効果】
【００１５】
本発明によれば、配送先に到着した後の配送物の届け先に関する情報の記入領域と、配送物の配送先に関する情報等を表した情報コードの印刷領域との間に、これらの領域を離間させる中間領域が設けられていることから、手書きで記入された文字等が記入領域からはみ出して情報コードに影響を与え難くなるので、印刷された情報コードの読み取り精度の低下を生じ難くすることができる。
【図面の簡単な説明】
【００１６】
【図１】本発明の実施形態に係る移転用ラベルの一例を示す図である。
【図２】配送物の外側に移転用ラベルの一部を貼り付け、他の一部を配送物の中に入れる例を示す図である。
【図３】本発明の実施形態に係る移転方法に使用される移転管理システムの構成の一例を示す図である。
【図４】図３に示す移転管理システムの処理の概念図である。
【図５】図３に示す移転管理システムの処理のフローチャートである。
【図６】図３に示す移転管理システムにおけるラベル発行依頼画面の一例を示す図である。
【図７】図３に示す移転管理システムにおける搬出登録画面の一例を示す図である。
【図８】本発明の実施形態に係る移転用ラベルの他の一例を示す図である。
【発明を実施するための形態】
【００１７】
図１は、本発明の実施形態に係る移転用ラベル５の一例を示す図である。
この移転用ラベル５は、例えばオフィスなどの移転を行う際に使用されるラベルであり、各配送物の配送元，配送先の情報や、各配送物の個体識別に関する情報などを表示する。移転作業者は、各配送物に貼り付けられた移転用ラベル５に印刷若しくは記入される配送先の情報を確認しながら、配送物の搬出・搬入作業を行う。また、配送物の搬出・搬入を管理する後述の移転管理システム（図３）は、配送物の搬入・搬出の際、移転用ラベル５に印刷された情報コードを所定の読み取り装置によって読み取り、読み取った情報の収集・記録・照合などを行う。
【００１８】
図１に示す移転用ラベル５は、裏面に粘着剤が施されたラベル本体１０と、ラベル本体１０の裏面に貼着された剥離紙２０とを有する。ラベル本体１０は、切れ込み線（１４１，１４２，１４３）によって３つの部分（配送物貼り付け部分１１，台帳貼り付け部分１２，残り部分１３）に区分される。各部分は、切れ込み線において分離しているため、それぞれ剥離紙２０から剥がすことができる。
【００１９】
［配送物貼り付け部分１１］
配送物貼り付け部分１１は、配送物の外側に貼り付けて使用される。
なお、ここでいう「配送物」は、移転作業者が実際に配送先へ運ぶ物品であり、荷造りされた物品を運ぶ場合は、その荷造りされた状態の物品をさす。従って、箱などに入れて荷物を運ぶ場合や、包装材によって荷物を包んで運ぶ場合、箱や包装材も「配送物」の一部である。この場合、配送物貼り付け部分１１は、箱や包装材の外側に貼り付けられる。また、梱包等をせずにそのまま荷物を運ぶ場合は、その荷物が「配送物」に該当し、配送物貼り付け部分１１は荷物の外側に直接貼り付けられる。すなわち、配送物貼り付け部分１１は、移転作業者が実際に配送先へ運ぶ物品の外側に、移転作業者が視認できるような状態で貼り付けられる。
配送物貼り付け部分１１は、本発明における第１の部分の一例である。
【００２０】
この配送物貼り付け部分１１の表面には、例えば図１に示すように、情報コード印刷領域１１１と、中間領域１１２と、記入領域１１３と、着色領域１１４が設けられている。
【００２１】
情報コード印刷領域１１１には、配送物の配送元や配送先の情報、配送物の個体の識別に関する情報などを表す情報コードが印刷される。図１の例において、情報コード印刷領域１１には、複数の色を用いて情報を表す情報コード１５１（例えばカラービット（商標））が印刷される。
【００２２】
カラービット（商標）は、赤，青，緑の３色の並び順によって情報を表すコードであり、カメラで撮像した画像を処理して色の変化を検出することにより情報を読み取ることができる。
カラービット（商標）は、色の並び順で情報を表しているため、セルの大きさや形に制約がなく、スペースに合わせて自由にくねくねと曲げることがきる。また、隣接する色の変化を検出できればよいため、撮像した画像にゆがみや、ボケ、ブレがあっても情報を読み取ることができるという特徴や、複数を一度に読み取ることができるという特徴を有する。
【００２３】
記入領域１１３は、配送先に到着した後の配送物の行き先に関する情報の記入が可能な欄を形成する領域である。図１の例に示す「レイアウト番号」は、建物や部屋の中における物品の配置位置を示す番号であり、物品の配置のレイアウトを決める際に割り当てられる。
【００２４】
中間領域１１２は、情報コード印刷領域１１１と記入領域１１３との間に介在し、この２つの領域を離間させる。中間領域１１２には、例えば、配送先に関連する文字，記号等が印刷される。図１の例では、「五反田ビル３Ｆ  営業部」の文字が配送先を示す。
情報コード印刷領域１１１と記入領域１１３とが中間領域１１２を介して離間しているため、記入領域１１３の領域外にはみ出した文字等が、情報コード印刷領域１１１の情報コード１５１にまで及び難くなっている。
【００２５】
着色領域１１４は、配送物の配送先を表す所定の色に着色された領域である。着色領域１１４には、着色された色の名前が白抜き文字等で印刷される（図１の例における「おうどいろ」の文字）。移転作業者は、この着色領域１１４の色を識別することによって、配送先ごとに配送物を選り分ける作業を容易に行うことができる。
【００２６】
着色領域１１４は、配送物貼り付け部分１１の表面の端部に位置しており、中間領域１１２及び記入領域１１３を隔てて情報コード印刷領域１１１から離間している。これにより、複数の色を用いて情報を表す情報コード１５１と着色領域１１４とが離れて位置することになるため、移転作業者が着色領域１１４の色を視認しやすくなる。
【００２７】
記入領域１１３の右上隅に記された１５ケタの数字は、荷物の管理番号である。図１の例における「１００１−０３−１０−００−００１０９」の数字において、左端の４ケタの数字「１００１」はビルを表す管理番号であり、次の２ケタの数字「０３」はビルの階数を表す管理番号であり、その右の２ケタの数字「１０」は部署を表す管理番号であり、その右の２ケタの数字「００」は係りを表す管理番号であり、末尾の５ケタの数字「００１０９」は荷物の通し番号である。
配送物貼り付け部分１１の表面の隅に記載される「１０９／６００」の数字は、同一の配送先について作成された６００枚の移転用ラベル５のうち、第１０９番目の移転用ラベル５であることを示す。この「第１０９番目」を示す数字は、上述した荷物の通し番号と同じである。
着色領域１１４において色の名前の横に記載された数字（図１の例における「Ｎｏ．１０」）は、各色に割り当てられた番号（カラー番号）である。
【００２８】
図１の例において、配送物貼り付け部分１１の表面に設けられた情報コード印刷領域１１１、中間領域１１２、記入領域１１３、着色領域１１４は、それぞれ矩形の領域であり、この順番で配送物貼り付け部分１１の表面に並んでいる。
【００２９】
［台帳貼り付け部分１２］
台帳貼り付け部分１２は、配送管理用の台帳に貼り付けて使用される。台帳貼り付け部分１２の表面には、配送物の配送元や配送先の情報、配送物の個体の識別に関する情報などを表すバーコード１６１が印刷される。
配送管理用の台帳は、全ての配送物の情報を台帳貼り付け部分１２として集めたものである。後述する移転管理システムにおいては、この台帳に貼り付けた台帳貼り付け部分１２のバーコード１６１をバーコードリーダー装置によって読み取る。
なお、台帳貼り付け部分１２は、本発明における第２の部分の一例である。
バーコード１６１は、本発明における第１のバーコードの一例である。
【００３０】
［残り部分１３］
残り部分１３は、移転ラベル５から配送物貼り付け部分１１と台帳貼り付け部分１２を剥がした残余の部分である。残り部分１３は、配送物貼り付け部分１１が貼り付けられた配送物の中に入れられて、この配送物とともに配送先へ運ばれる。例えば図２に示すように、残り部分１３は、送物貼り付け部分１１が貼られた箱５０の中に剥離紙２０を付けたままの状態で入れられて、箱５０の中の荷物とともに配送先へ運ばれる。
残り部分１３は、本発明における第３の部分の一例である。
【００３１】
残り部分１３と配送物貼り付け部分１１の表面の境界領域には、例えば図１に示すように、バーコード１６１と同じ情報を表すバーコード１６２が印刷される。この境界領域には、配送物貼り付け部分１１と残り部分１３との境界をなす切れ込み線１４３が横切っている。バーコード１６２は、この境界領域において、配送物貼り付け部分１１と残り部分１３とをこの切れ込み線１４３において分離した場合でも各々の部分で情報を読み取ることができるように印刷される。
例えば、バーコード１６２を構成する複数の棒線は、配送物貼り付け部分１１と残り部分１３との境界をなす切れ込み線１４３とそれぞれ垂直に交わる。これにより、配送物貼り付け部分１１と残り部分１３とを切れ込み線１４３で分離した場合、それぞれの部分にはバーコード１６２を構成する複数の棒線が残存し、かつ、棒線はそれぞれの部分において長さが揃うため、２つの部分を分離した場合でも各部分でバーコード１６２の情報を読み出すことができる。
バーコード１６２は、例えば図１に示すように、中間領域１１２及び情報コード印刷領域１１１を隔てて記入領域１１３から離間した位置に印刷される。そのため、記入領域１１３の領域外にはみ出した文字等が、バーコード１６２にまで及び難くなっている。
バーコード１６２は、本発明における第２のバーコードの一例である。
【００３２】
［切れ込み線１４１〜１４３］
中間領域１１２に接する情報コード印刷領域１１１の一辺と平行な情報コード印刷領域１１１の他の一辺の近くには、当該他の一辺と平行に延びた切れ込み線１４１が形成される。切れ込み線１４１の一方の端は、ラベル本体１０の縁まで届いており、切れ込み線１４１の他方の端は、切れ込み線１４１と垂直な切れ込み線１４２の一方の端に接続される。切れ込み線１４１は、配送物貼り付け部分１１と台帳貼り付け部分１２とを区分する。
【００３３】
切れ込み線１４２は、切れ込み線１４１との接続点から情報コード印刷領域１１１より遠ざかる方向に延びて形成される。切れ込み線１４２の他方の端は、ラベル本体１０の縁まで届く。切れ込み線１４２は、台帳貼り付け部分１２と配送物貼り付け部分１１とを区分するとともに、台帳貼り付け部分１２と残り部分１３とを区分する。
【００３４】
切れ込み線１４２の中間部には、切れ込み線１４１と平行な切れ込み線１４３の一方の端が接続される。切れ込み線１４３は、この切れ込み線１４２との接続点から台帳貼り付け部分１２より遠ざかる方向に延びて形成される。切れ込み線１４３の他方の端は、ラベル本体１０の縁まで届く。切れ込み線１４３は、配送物貼り付け部分１１と残り部分１３とを区分する。
切れ込み線１４１〜１４３は、本発明における加工線の一例である。
【００３５】
次に、上述した図１に示す移転用ラベル５を用いた移転方法について説明する。
ここでは、企業（仮に「Ａ社」と呼ぶ）がオフィス等の移転をサービス会社に委託するものとし、委託を受けたサービス会社が実際の移転作業を行う場合を例に挙げて説明する。
【００３６】
本実施形態に係る移転方法において、まずサービス会社の作業者は、図１に示すような移転用ラベル５を配送物の数だけ準備する。
【００３７】
移転用ラベル５を受け取ったＡ社の担当者は、移転用ラベル５のラベル本体１０から、配送物貼り付け部分１１と台帳貼り付け部分１２をそれぞれ分離する（すなわち、剥離紙２０から配送物貼り付け部分１１と台帳貼り付け部分１２をそれぞれ剥がす）。
【００３８】
そして、Ａ社の担当者は、剥離紙２０から剥がされた配送物貼り付け部分１１を、配送物の外側に貼り付ける。
また、Ａ社の担当者は、剥離紙２０から剥がされた台帳貼り付け部分１２を、配送管理用の台帳に貼り付ける。
更に、Ａ社の担当者は、配送物貼り付け部分１１及び台帳貼り付け部分１２が剥がされた残りの移転用ラベル５（残り部分１３と剥離紙２０）を、配送物とともに配送されるように配送物の中へ入れる（図２）。
【００３９】
Ａ社において上記の処理が済むと、サービス会社による移転作業が行われる。
まず、サービス会社の作業者は、バーコードリーダ装置を用いて台帳と荷物のバーコード（１６１，１６２）をそれぞれ読み取り、そのデータを所定のサーバにアップロードする。この読み取り作業によって、現物と台帳が一致しているかどうかを確認する突合せ作業（存在チェック）も併せて実施する。この読み取り作業を実施した後、サービス会社の作業者は、配送物を実際に移転先へ運ぶ作業を行う。
残りの移転用ラベル５が入れられた配送物を搬出する際、サービス会社の作業者は、各配送物の外側に貼り付けられた配送物貼り付け部分１１に印刷される情報コード１５１の情報を、配送物の発送元に設置された情報コード読み取り装置（Ｗｅｂカメラ）によって読み取る。
【００４０】
そして、サービス会社の作業者は、情報コード１５１の読み取りが完了した配送物を、配送物の外側に貼り付けられた配送物貼り付け部分１１の中間領域１１２に印刷される文字が示す配送先へ運ぶ。
【００４１】
配送物が配送先に到着すると、サービス会社の作業者は、配送物の外側に貼り付けられた配送物貼り付け部分１１に印刷される情報コード１５１の情報を、配送先に設置された情報コード読み取り装置（Ｗｅｂカメラ）によって読み取る。
【００４２】
ただし、配送先に到着した配送物の外側に配送物貼り付け部分１１が貼り付けられていない場合、サービス会社の作業者は、配送物の中から残りの移転用ラベルを取り出し、当該移転用ラベルに含まれる残り部分１３に印刷されたバーコード１６２を、配送先に設置されたバーコード読み取り装置によって読み取る。
これにより、配送の途中で配送物貼り付け部分１１が配送物から剥がれてしまった場合でも、配送物の中に入れられた残り部分１３のバーコード１６２から、当該配送物に関する台帳の情報を取得できるため、配送物の配送先が不明になることを有効に防止できる。
【００４３】
次に、上述した移転方法において使用される移転管理システム１について説明する。
【００４４】
図３は、本発明の実施形態に係る移転方法において使用される移転管理システム１の構成の一例を示す図である。
本実施形態に係る移転管理システム１は、例えば図１に示すように、ユーザ管理コンピュータ２と、搬出地コンピュータ４と、サーバ６と、搬入地コンピュータ８とを有する。
ユーザ管理コンピュータ２、搬出地コンピュータ４、搬入地コンピュータ８及びサーバ６は、インターネット等のネットワーク９を介して通信を行う。サーバ６は、例えばクラウドコンピューティングサービスを提供するサーバとして機能する。
【００４５】
本実施形態では、ユーザが管理業務に使うコンピュータとしてユーザ管理コンピュータ２を例示し、配送物の搬出地で用いるコンピュータとして搬出地コンピュータ４を例示し、配送物の搬入地で用いるコンピュータとして搬入地コンピュータ８を例示し、サービス会社が使用するサーバとしてサーバ６を例示するが、これらの各地のコンピュータは、本実施形態で説明する機能毎に複数存在してもよい。
【００４６】
図４は、図３に示す移転管理システム１の処理の概念図である。
図５は、図３に示す移転管理システム１の処理のフローチャートである。
この移転管理システム１は、例えば、サーバ６を管理する会社（以下、「サーバ管理会社」と呼ぶ）によって運営されるシステムである。Ａ社から移転作業を委託されたサービス会社は、サーバ管理会社によって運営される移転管理システム１を利用して移転作業を進める。
【００４７】
ステップＳＴ１：
サービス会社の作業者は、例えば、ユーザ管理コンピュータ２を操作して、複数種類の移転用ラベル５の発行依頼をサーバ６に送る。
具体的には、サービス会社の作業者は、ユーザ管理コンピュータ２のディスプレイに表示された図６に示すラベル発行依頼画面３０において、配送先のビル名や階など、移転作業に必要な所定の情報を入力すると共に、移転用ラベル５に用いる色を指定する。
例えば、サービス会社の作業者は、経理部用に赤色の移転用ラベル５を１０００枚、総務部用に青色の移転用ラベル５を５００枚、営業部用に緑色の移転用ラベル５を３００枚、などといった具合に、必要な枚数の移転用ラベル５の発行依頼を行う。
【００４８】
ステップＳＴ２：
サーバ管理会社の作業者は、ステップＳＴ１においてユーザ管理コンピュータ２からサーバ６に送られてきた発行依頼に基づいて、ラベルプリンタ等を使用して、図１に示すような移転用ラベル５を印刷する。移転用ラベル５のサイズは、例えば１４９ｍｍ（横）×１００ｍｍ（縦）である。
【００４９】
ステップＳＴ３：
サーバ管理会社の作業者は、ステップＳＴ２で印刷された移転用ラベル５を、宅配便などでＡ社に送付する。
【００５０】
ステップＳＴ４：
サーバ管理会社から移転用ラベル５を受け取ったＡ社の担当者は、移転用ラベル５の各部分を剥がして、配送物や台帳に貼り付ける作業を行う。
すなわち、Ａ社の担当者は、剥離紙２０から配送物貼り付け部分１１を剥がして、配送物の外側に貼り付ける。
また、Ａ社の担当者は、剥離紙２０から台帳貼り付け部分１２を剥がして、配送管理用の台帳に貼り付ける。
更に、Ａ社の担当者は、配送物貼り付け部分１１及び台帳貼り付け部分１２が剥がされた残りの移転用ラベル５（例えば残り部分１３と剥離紙２０）を、配送物とともに配送されるように配送物の中へ入れる（図２）。
【００５１】
ステップＳＴ５：
サービス会社の作業者は、移転日より前にＡ社を訪問し、台帳貼り付け部分１２が貼り付けられた配送管理用の台帳のデータ収集と荷物のデータ収集を行い、台帳と荷物の突合せ（存在チェック）を行う。サービス会社の作業者は、配送管理用の台帳のバーコード１６１と荷物管理用のバーコード１６２をバーコードリーダ装置によりそれぞれ読み取り、読み取った台帳と荷物のデータをそれぞれサーバ６にアップロードする。
【００５２】
ステップＳＴ６：
移転当日に、サービス会社の作業者は、ステップＳＴ５でアップロードされたデータ（台帳データ等）をサーバ６から搬出地コンピュータ４及び搬入地コンピュータ８にダウンロードし、これをデータベースに取り込む。
【００５３】
ステップＳＴ７：
サービス会社の作業者は、Ａ社において配送物の搬出、積込作業を行う。
搬出地コンピュータ４は、搬出地に設置されたＷｅｂカメラによって配送物を撮像し、各配送物の外側に貼り付けられた配送物貼り付け部１１の情報コード１５１の画像を取り込む。搬出地コンピュータ４は、Ｗｅｂカメラから取り込んだ画像を処理し、情報コード１５１を自動認識して、その情報を取得する。
このとき、搬出地コンピュータ４は、カメラによって撮像された複数の配送物の情報コード１５１を一括して自動認識する。そのため、１つ１つの配送物の情報をバーコードリーダ装置などによって読み取る場合に比べて、搬出作業、積込作業の手間を大幅に少なくできる。
【００５４】
なお、搬出地コンピュータ４は、例えば図７に示すような搬出登録画面４０をディスプレイに表示する。本実施形態の移転管理システム１において現場に配置されるコンピュータ（４，８）は、配送物の情報を読み取る状況に応じた所定の動作モード（搬出モード、積込モード、取降モード、搬入モード）で動作する。搬出モードは、部屋から搬出される配送物の情報を読み取る際に使用されるモードであり、例えば図７に示すような搬出登録画面をディスプレイに表示する。積込モードは、トラック等に積み込まれる配送物の情報を読み取る際に使用される。取降モードは、トラック等から取り降ろされる配送物の情報を読み取る際に使用される。搬入モードは、部屋へ搬入される配送物の情報を読み取る際に使用される。
【００５５】
ステップＳＴ８：
搬出地コンピュータ４は、ステップＳＴ７で自動認識した情報コード１５１のデータと、データベースに取り込まれた台帳データとのマッチング処理を行う。
【００５６】
ステップＳＴ９：
搬出地コンピュータ４は、ステップＳＴ８のマッチング処理の後の搬出データ及び積込データをサーバ６にアップロードする。
【００５７】
ステップＳＴ１０：
サービス会社の作業者は、配送物をトラック等で移転先に運び、移転先において配送物の取降，搬入作業を行う。
配送物が移転先に到着すると、搬入地コンピュータ８は、配送物の搬入地に設置されたＷｅｂカメラによって配送物を撮像し、各配送物の外側に貼り付けられた配送物貼り付け部１１の情報コード１５１の画像を取り込む。搬入地コンピュータ８は、Ｗｅｂカメラから取り込んだ画像を処理し、情報コード１５１を自動認識して、その情報を取得する。搬入地コンピュータ８は、上述した搬入モードで動作し、所定の搬入登録画面をディスプレイに表示する。
このとき、搬入地コンピュータ８は、Ｗｅｂカメラによって撮像された複数の配送物の情報コード１５１を一括して自動認識する。そのため、１つ１つの配送物の情報をバーコードリーダ装置などによって読み取る場合に比べて、取降作業、搬入作業の手間を大幅に少なくできる。
【００５８】
ステップＳＴ１１：
搬入地コンピュータ８は、ステップＳＴ１０で自動認識した情報コード１５１のデータと、データベースに取り込まれた台帳データとのマッチング処理を行う。
【００５９】
ステップＳＴ１２：
搬入地コンピュータ８は、ステップＳＴ１１のマッチング処理の後に、取降データ及び搬入データをサーバ６にアップロードする。
【００６０】
ステップＳＴ１３：
サービス会社の作業者は、サーバ６にアクセスしてデータをダウンロードし、このデータに基づいた移転実績報告書を作成して、これをＡ社に送付する。
【００６１】
以上説明したように、本実施形態に係る移転用ラベル５によれば、配送先に到着した後の配送物の届け先に関する情報の記入領域１１３と、配送物の配送先に関する情報コード１５１が印刷された情報コード印刷領域１１１との間に、これらの領域を離間させる中間領域１１２が設けられていることから、手書きで記入された文字等が記入領域１１３からはみ出しても、情報コード１５１にまで及び難くなるため、情報コード１５１の読み取り精度の低下を生じ難くすることができる。
【００６２】
また、本実施形態に係る移転用ラベル５によれば、移転作業者が参照する配送物の配送先に関連する文字が中間領域１１２に印刷される。これにより、情報コード印刷領域１１１と記入領域１１３とを離間させる上記の機能に加えて、移転作業に必須の情報（配送先の情報）を表示する機能をも中間領域１１２に持たせることができるため、ラベル本体１０の表面を無駄なく有効に利用でき、省スペース化を図ることができる。
【００６３】
更に、本実施形態に係る移転用ラベル５によれば、配送物貼り付け部分１１と残り部分１３との境界をなす切れ込み線１４３を跨いで、台帳貼り付け部分１２のバーコード１６１と同じ情報を表すバーコード１６２が印刷されており、配送物貼り付け部分１１と残り部分１３とを分離した場合でも、それぞれの部分においてバーコード１６２を読み取ることができる。これにより、配送物貼り付け部分１１が配送途中で配送物から剥がれてしまった場合でも、配送物の中に入れられた残り部分１３のバーコード１６２から、台帳貼り付け部分１２のバーコード１６１と同じ情報を取得することができるため、配送物の配送先や出自が不明になることを有効に防止できる。また、大量の配送物の配送が必要な大規模な移転作業においても、搬出，積み込み，取り降ろし，搬入といった一連の移転作業における配送物の管理を確実に行うことができる。
【００６４】
また、本実施形態に係る移転用ラベル５によれば、２つの部分（配送物貼り付け部分１１，残り部分１３）の表面の境界領域にバーコード１６２を印刷するため、当該２つの部分のそれぞれに同じバーコードを印刷する場合に比べて、ラベル表面のスペースを節約することができる。
【００６５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６６】
例えば、図１に示す移転用ラベル５は一例であり、本発明はこの例に限定されない。図８は、本発明の実施形態に係る移転用ラベル５の他の例を示す図である。この図８の例に示すように、情報コード１５１のサイズや形状、長さは任意である。また、ラベル本体の表面に印刷される領域の形状やサイズ、文字や記号の内容等は、適宜変更可能である。
【００６７】
上述した実施形態では、ラベル本体１０の３つの部分（配送物貼り付け部分１１，台帳貼り付け部分１２，残り部分１３）をスリット加工等により形成された切れ込み線で区分しているが、本発明はこの例に限定されない。本発明の他の実施形態では、切り離し可能なミシン目によってラベル本体の３つの部分（配送物貼り付け部分，台帳貼り付け部分，残り部分）を区分してもよい。
【００６８】
また、図６に示すラベル発行依頼画面３０や図７に搬出登録画面は一例であり、任意に変更可能である。
【符号の説明】
【００６９】
１…移転管理システム、２…ユーザ管理コンピュータ、４…搬出地コンピュータ、５…移転用ラベル、６…サーバ、１０…ラベル本体、１１…配送物貼り付け部分、１２…台帳貼り付け部分、１３…残り部分、１１１…情報コード印刷領域、１１３…中間領域、１１３…記入領域、１１４…着色領域、１４１〜１４３…切れ込み線、１５１…情報コード、１６１，１６２…バーコード、２０…剥離紙、３０…ラベル発行依頼画面、３２…ユーザ入力欄、３４…色選択欄。
【図１】
0005989398.tif 000002
【図２】
0005989398.tif 000003
【図３】
0005989398.tif 000004
【図４】
0005989398.tif 000005
【図５】
0005989398.tif 000006
【図６】
0005989398.tif 000007
【図７】
0005989398.tif 000008
【図８】
0005989398.tif 000009